(57)【特許請求の範囲】
【請求項１】
少なくとも冊子体となる２頁分以上のサイズの紙片に、
印刷を施す工程と
ＣＤ保護用塗布膜を設ける工程と、
頁サイズの折り込み線と、隣り合う対となる頁の前記折り込み線に対して対象の位置に、前記対となる頁の一方にＣＤより小さい貫通孔とその貫通孔の周囲に前記ＣＤと略等しい位置出し用の筋押しと、前記対となる頁の他方の前記保護用塗布膜を設けた部分に、前記ＣＤと略等しい切り取り用ミシン目と切込みを設け、前記ＣＤと略等しい切り取り用ミシン目と切込みの中心線に前記ＣＤを取り出すための筋押しを設ける工程と、
前記ミシン目を設けた頁のミシン目より外側に接着剤を塗布する工程と、
前記位置出し用の筋押しに前記ＣＤの印刷された非記録面を下にして位置合わせして、前記対となる頁を貼着する工程と
を、順次行なうことを特徴とするＣＤ付き冊子体の製造方法。
【請求項２】
少なくとも冊子体となる２頁分以上のサイズの紙片に、
印刷を施す工程と、
頁サイズの折り込み線と、隣り合う対となる頁の前記折り込み線に対して対象の位置に、前記対となる頁の一方にＣＤより小さい貫通孔とその貫通孔の周囲に前記ＣＤと略等しい位置出し用の筋押しと、前記対となる頁の他方の前記筋押しと対称の位置に、前記ＣＤと略等しい切り取り用ミシン目と切込みを設け、前記ＣＤと略等しい切り取り用ミシン目と切込みの中心線に前記ＣＤを取り出すための筋押しを設ける工程と、
該ミシン目と切込みのある頁に接着剤を塗布する工程と、
前記ミシン目と切込みと等しいか若干小さいシート状保護部材を設ける工程と、
前記位置出し用の筋押し又はミシン目に前記ＣＤを合わせて前記対となる頁を貼着する工程と
を、順次行なうことを特徴とするＣＤ付き冊子体の製造方法。
【請求項３】
前記請求項１又は請求項２のＣＤ付き冊子体のＣＤが内封された頁とされてない頁の間の折り込み線部分に、中綴じ製本により内側に折丁を綴じ込み、前記ＣＤ付き冊子体を表紙にすることを特徴とするＣＤ付き冊子体の製造方法。
【請求項４】
前記請求項１又は請求項２のＣＤ付き冊子体のＣＤが内封された頁とされてない頁の間の折り込み線部分に、背となる幅の折り込み線を部を設けた紙片を用いて、無線綴じ製本により綴じ込み、前記ＣＤ付き冊子体を表紙にすることを特徴とするＣＤ付き冊子体の製造方法。
【請求項５】
前記請求項１又は請求項２のＣＤ付き冊子体のＣＤが内封された頁に、綴じ込み片を設けて、無線綴じ製本により本に綴じ込んだことを特徴とするＣＤ付き冊子体の製造方法。
【請求項６】
前記請求項１又は請求項２のＣＤ付き冊子体を雑誌、書籍等の本の頁に貼着したしたことを特徴としたＣＤ付き冊子体の製造方法。
【発明の詳細な説明】
【０００１】
【発明の属する技術分野】
本発明は、例えば、雑誌、書籍、カタログ、パンフレット、冊子等の冊子体にＣＤ（コンパクトディスク、光ディスク、光磁気ディスク、ＬＤ、ＤＶＤ等円形記憶媒体等含む）を冊子体に添付する技術に関する。
【０００２】
【従来の技術】
従来の技術は、特開平９−９９６７０号公報には図１０に示すような、本文２０と本文２０を覆う表紙１８と、ＣＤ４とからなるＣＤ本１５であって、前記表紙１８にはＣＤ４に対応した大きさの窓１６が形成され、前記ＣＤ４は扁平な袋（ＣＤが挿入された袋１７）に挿入され、前記ＣＤ４が挿入された袋１７は、ＣＤ４が前記窓１６に位置するように表紙１８の裏側あるいは表紙１８の裏側に臨む本文２０に取着されていることを特徴とするＣＤ本１５が開示されている。
また、特開平１１−１５１８７４号公報には図１１に示すような、偏平状記録媒体（ＣＤ４）を外から見える状態で収納したホルダー（ＣＤが挿入された袋１７）を表紙１８と本文２０との間に有し、表紙１８に設けた窓１６が中の偏平状記録媒体（ＣＤ４）の少なくとも一部に重なるように構成した本であって、用紙（表紙１８）に形成された窓孔（窓１６）を覆って用紙全体に透明フィルム１９が積層された積層シートを表紙全体に用いたことを特徴とする本が開示されている。
【０００３】
しかし、上記した従来技術は、どちらも窓部からＣＤが見える構成で、ＣＤを透明部分を持つ袋に入れて貼着するものである。ＣＤを一枚一枚袋に挿入する必要があった。また、袋にＣＤを挿入して表紙の窓部の裏側あるいは本文の最初の頁に貼着してあるので、袋ごと剥がして持ち去る等の心配があった。
【０００４】
【発明が解決しようとする課題】
本発明は、上記問題点を解決すべく、ＣＤを袋に入れず、窓部にＣＤが直に見えて、固定可能に収納したＣＤ付き冊子体の製造方法を提供することを課題とする。
【０００５】
【課題を解決するための手段】
請求項１に記載の発明は、少なくとも冊子体となる２頁分以上のサイズの紙片に、印刷を施す工程とＣＤ保護用塗布膜を設ける工程と、頁サイズの折り込み線と、隣り合う対となる頁の前記折り込み線に対して対象の位置に、前記対となる頁の一方にＣＤより小さい貫通孔とその貫通孔の周囲に前記ＣＤと略等しい位置出し用の筋押しと、前記対となる頁の他方の前記保護用塗布膜を設けた部分に、前記ＣＤと略等しい切り取り用ミシン目と切込みを設け、前記ＣＤと略等しい切り取り用ミシン目と切込みの中心線に前記ＣＤを取り出すための筋押しを設ける工程と、前記ミシン目を設けた頁のミシン目より外側に接着剤を塗布する工程と、前記位置出し用の筋押しに前記ＣＤの印刷された非記録面を下にして位置合わせして、前記対となる頁を貼着する工程とを、順次行なうことを特徴とするＣＤ付き冊子体の製造方法である。
このような工程で製造するので、前記ＣＤ保護用塗布膜によるＣＤ記録面の保護と切り込み線による貼着後のＣＤの位置ずれを防止でき、袋に入れずにＣＤを収納可能とすることができる。開封はミシン目を破断することで容易に取り出せる。また、ＣＤの印刷された非記録面が貫通孔の窓部より生で見えるので強烈なインパクトがあり、他のＣＤが収納添付された冊子体と顧客吸引力で差別化できる。また、自動化機械等使用する場合には、袋がないのでＣＤの取り扱いが容易になる。
【０００６】
請求項２に記載の発明は、少なくとも冊子体となる２頁分以上のサイズの紙片に、印刷を施す工程と、頁サイズの折り込み線と、隣り合う対となる頁の前記折り込み線に対して対象の位置に、前記対となる頁の一方にＣＤより小さい貫通孔とその貫通孔の周囲に前記ＣＤと略等しい位置出し用の筋押しと、前記対となる頁の他方の前記筋押しと対称の位置に、前記ＣＤと略等しい切り取り用ミシン目と切込みを設け、前記ＣＤと略等しい切り取り用ミシン目と切込みの中心線に前記ＣＤを取り出すための筋押しを設ける工程と、該ミシン目と切込みのある頁に接着剤を塗布する工程と、前記ミシン目と切込みと等しいか若干小さいシート状保護部材を設ける工程と、前記位置出し用の筋押し又はミシン目に前記ＣＤを合わせて前記対となる頁を貼着する工程とを、順次行なうことを特徴とするＣＤ付き冊子体の製造方法である。
このような工程で製造するので、前記請求項１と同等の作用効果がある。請求項１と異なるのは、前記保護用塗布膜の代わりにシート状保護部材を設けることだけである。
【０００７】
請求項３に記載の発明は、前記請求項１又は請求項２のＣＤ付き冊子体のＣＤが内封された頁とされてない頁の間の折り込み線部分に、中綴じ製本により内側に折丁を綴じ込み、前記ＣＤ付き冊子体を表紙にすることを特徴とするＣＤ付き冊子体の製造方法である。
このような工程で製造するので、上記の作用効果に加えて中綴じ本の表紙に生のＣＤが見えるＣＤ付き冊子体が容易に得られる。
【０００８】
請求項４に記載の発明は、前記請求項１又は請求項２のＣＤ付き冊子体のＣＤが内封された頁とされてない頁の間の折り込み線部分に、背となる幅の折り込み線を部を設けた紙片を用いて、無線綴じ製本により綴じ込み、前記ＣＤ付き冊子体を表紙にすることを特徴とするＣＤ付き冊子体の製造方法である。
このような工程で製造するので、上記の作用効果に加えて無線綴じ本の表紙に生のＣＤが見えるＣＤ付き冊子体が容易に得られる。
【０００９】
請求項５に記載の発明は、前記請求項１又は請求項２のＣＤ付き冊子体のＣＤが内封された頁に、綴じ込み片を設けて、無線綴じ製本により本に綴じ込んだことを特徴とするＣＤ付き冊子体の製造方法である。
このような工程で製造するので、無線綴じ本の本文中に生のＣＤが見えるＣＤ付き冊子体が容易に得られる。
【００１０】
請求項６に記載の発明は、前記請求項１又は請求項２のＣＤ付き冊子体を雑誌、書籍等の本の頁に貼着したしたことを特徴としたＣＤ付き冊子体の製造方法である。
このような工程で製造するので、製本方式にこだわらないで雑誌、書籍等の本の頁に生のＣＤが見えるＣＤ付き冊子体が容易に得られる。
【００１１】
【発明の実施の形態】
実施の形態を図面を用いて詳細に説明する。
図１は本発明のＣＤ付き冊子体の製造方法で製造するＣＤ付き冊子体１の正面説明図である。２は紙片、３は折り込み線、４はＣＤ、５は貫通孔である。
図２は図１を折り込み線３で開いた状態の説明図である。６は筋押し、７はミシン目、８は切り込みである。ＣＤを取り出すときは、ミシン目７を破断して取り出す。筋押し６の上部のミシン目部分のみを破断し該筋押し部で折り曲げて取り出すこともできる。切り込み８はＣＤを紙片２の間に挟み込んだとき、ＣＤのエッジ部が該切り込み８の縁に当たり、固定するためのものである。
【００１２】
図３は図２を更に折り込み線３で接着剤９で接着してあるのを剥がした状態を示す分解説明図である。貫通孔５の周囲の筋押し６はＣＤの位置を出すのに使われる。１０は保護用塗布膜である。
【００１３】
保護用塗布膜１０はオーバープリントワニスが使用できる。オーバープリントワニスは酸化重合乾燥型、溶剤型、水性、熱硬化型、紫外線硬化型等種種のタイプのものがある。
酸化重合乾燥型オーバープリントワニスの処方例としては、ロジン変性フェノール樹脂またはマレイン酸樹脂（４０重量部）、低粘度シナキリ油ワニス（１５重量部）、低粘度アマニ油ワニス（１２重量部）、石油系溶剤（２７重量部）、添加剤（コバルトドライヤ、パラフィンワックス、ゲル化剤等（６重量部）が挙げられる。溶剤型オーバープリントワニスはニス引き、ビニル引き、ビニルプレス等のペーパーコーティングワニスが使用できる。また塩酢ビ系ワニス、アクリル系ワニス、ニトロセルロース系ワニスも使用可能である。
【００１４】
図４は本発明のＣＤ付き冊子体の製造方法で製造するＣＤ付き冊子体１の別の実施の形態で、ＣＤを２枚収容するＣＤ付き冊子体１の展開説明図である。
４頁分のサイズの紙片２を用い、図３のＣＤを挟み込む対となる部分を２セットつなげた状態となる。出来上がるＣＤ付き冊子体１は、表裏側のどちらの貫通孔５の窓部より生のＣＤが見られる。
【００１５】
図５は本発明のＣＤ付き冊子体の製造方法で製造するＣＤ付き冊子体１のまた別の実施の形態で、ＣＤを１頁の中に２枚収納するＣＤ付き冊子体１の展開説明図である。
【００１６】
図６は本発明のＣＤ付き冊子体の製造方法で製造したＣＤ付き冊子体１の説明図である。中綴じ本１１の表紙１３に図２に示すＣＤ付き冊子体を用いたものである。本文２０に中綴じ製本機で表紙１３（ＣＤ付き冊子体）を綴じ合わせ中綴じ本１１を製造する。製本ラインの中で仕上がりの三方断裁をすると小口側の連続している折り込み線３が切断される。これを避けるためには本の表紙となるＣＤ付き冊子体の小口から背の寸法を本文２０より短くしておくとよい。
【００１７】
図７は本発明のＣＤ付き冊子体の製造方法で製造したＣＤ付き冊子体１の説明図である。無線綴じ本１２の表紙１３に図２に示すＣＤ付き冊子体を用いたものである。この場合、紙片２は背の幅分大きいものを用い、背となる部分に折り込み線３を追加したものを予め用意する必要がある。また製本ラインの中で仕上がりの三方断裁をすると小口側の連続している折り込み線３が切断される。これを避けるためには本の表紙となるＣＤ付き冊子体の小口から背の寸法を本文２０より短くしておくとよい。
【００１８】
図８は本発明のＣＤ付き冊子体の製造方法で製造した図１のＣＤ付き冊子体１を中綴じ本１１の本分頁に貼着した状態を示す説明図である。本、雑誌、書籍等の綴じ方等には関係なく貼着することができる。本発明のＣＤ付き冊子体１の様々の形態のものが貼着できる。
また、図２に示すＣＤ付き冊子体の左側頁の紙片２の幅を略２０ｍｍとして、その部分を綴じ込み片として用いて綴じ込むこともできる。綴じ込み片は最初から紙片２の割付段階で設けることもできるが、後で細長い紙片を貼着してもよい。綴じ込み片で綴じ込むときは、本、雑誌、書籍等の１頁のサイズよりＣＤ付き冊子体を小さくしておく必要がある。
【００１９】
図９は本発明のＣＤ付き冊子体の製造方法の別の形態を示す説明図である。図３で示す保護用塗布膜１０の代わりに、貫通孔５折り込み線３、ミシン目７、切り込み８、筋押し６の後、接着剤塗布後または塗布前にシート状保護部材１４を設ける製造方法である。シート状保護部材１４は接着剤９で貼着してもよいし、置くだけでもよい。
シート状保護部材としては、不織布、ポリエチレン，ポリプロピレン，塩化ビニル等のプラスチックフィルム等が好ましい。しかし特に限定するものでなく、同様の作用効果のあるシート状物が使用可能である。
【００２０】
なお、図３、図５、図９でＣＤを円形筋押し６に合わせて置く方が好ましいが、ミシン目７に合わせて置くことも可能である。
【００２１】
【実施例】
以下図面を用いて実施例を説明する。
＜実施例１＞
図１〜図３に示す形態の冊子体用収納体を作製した。紙片２としては２００ｇ／ｍ2のコート紙にＡ４判サイズが６頁分断ち代を加えたサイズで、枚葉オフセット印刷でカラー印刷及び保護用塗布膜１０として酸化重合乾燥型オーバープリントワニスを印刷した。その後、貫通孔５，折り込み線３，筋押し６，ミシン目７，切り込み８を同時に処理可能な打ち抜き機にかけて製造し、接着剤としてコ−ルドグリュータイプを用い、ＣＤ挿入貼り込み機でＣＤを貫通孔５の周囲にある筋押し６に合わせ置き、折り込み線３で折り込み、ＣＤを紙片２の間に挟み固定した。ＣＤが貼り込まれると、切り込み８の部分が持ち上がり、そのエッジ部にＣＤは引っ掛かって固定される。同時に２部の冊子体用収納体を作製した。
【００２２】
＜実施例２＞
実施例１とほぼ同様に作製したが、上記の保護用塗布膜１０の代わりに、不織布をミシン目７の内側に、接着剤塗布のときミシン目６の内側にも塗布し貼着した。そのように製作した冊子体用収納体を雑誌の表紙として図６に示すような中綴じ本を製造した。
上記のように製造した冊子体用収納体は外側から生のＣＤが見え、より鮮明に存在が目立ち迫力があるものができた。
【００２３】
【発明の効果】
請求項１に記載の発明は、ＣＤ保護用塗布膜によるＣＤ記録面の保護と切り込み線による貼着後のＣＤの位置ずれを防止でき、袋に入れずにＣＤを収納可能とすることができる。開封はミシン目を破断することで容易に取り出せる。また、ＣＤの印刷された非記録面が貫通孔の窓部より生で見えるので強烈なインパクトがあり、他のＣＤが収納添付された冊子体と顧客吸引力で差別化できる。また、自動化機械等使用する場合には、袋がないのでＣＤの取り扱いが容易になるという作用効果がある。
【００２４】
請求項２に記載の発明は、前記請求項１と同等の作用効果がある。
【００２５】
請求項３に記載の発明は、上記の作用効果に加えて中綴じ本の表紙に生のＣＤが見えるＣＤ付き冊子体が容易に得られる。
【００２６】
請求項４に記載の発明は、上記の作用効果に加えて無線綴じ本の表紙に生のＣＤが見えるＣＤ付き冊子体が容易に得られる。
【００２７】
請求項５に記載の発明は、無線綴じ本の本文中に生のＣＤが見えるＣＤ付き冊子体が容易に得られる。
【００２８】
請求項６に記載の発明は、製本方式にこだわらないで雑誌、書籍等の本の頁に生のＣＤが見えるＣＤ付き冊子体が容易に得られる。
【図面の簡単な説明】
【図１】本発明のＣＤ付き冊子体の製造方法の一実施の形態を示す正面説明図である。
【図２】図１を折り込み線３で開いた状態の説明図である。
【図３】図２を更に折り込み線３で接着剤９で接着してあるのを剥がした状態を示す分解説明図である。
【図４】本発明のＣＤ付き冊子体の製造方法の一実施の形態を示す説明図である。
【図５】本発明のＣＤ付き冊子体の製造方法の別の一実施の形態を示す説明図である。
【図６】本発明のＣＤ付き冊子体の製造方法の別の一実施の形態を示す説明図である。
【図７】本発明のＣＤ付き冊子体の製造方法の別の一実施の形態を示す説明図である。
【図８】本発明のＣＤ付き冊子体の製造方法の別の一実施の形態を示す説明図である。
【図９】本発明のＣＤ付き冊子体の製造方法の別の一実施の形態を示す説明図である。
【図１０】従来技術のＣＤ本の説明図である。
【図１１】従来技術のＣＤの付いた本の説明図である。
【符号の説明】
１…ＣＤ付き冊子体  ２…紙片  ３…折り込み線  ４…ＣＤ  ５…貫通孔  ６…筋押し  ７…ミシン目  ８…切り込み  ９…接着剤  １０…保護用塗布膜  １１…中綴じ本  １２…無線綴じ本  １３、１８…表紙  １４…シート状保護部材  １５…ＣＤ本  １６…窓  １７…ＣＤが挿入された袋  １９…透明フィルム  ２０…本文
【図１】
0003846162.tif 000002
【図２】
0003846162.tif 000003
【図３】
0003846162.tif 000004
【図４】
0003846162.tif 000005
【図５】
0003846162.tif 000006
【図６】
0003846162.tif 000007
【図７】
0003846162.tif 000008
【図８】
0003846162.tif 000009
【図９】
0003846162.tif 000010
【図１０】
0003846162.tif 000011
【図１１】
0003846162.tif 000012